(57)【要約】      （修正有）【課題】簡便かつ実用的な温灸治療を可とする、遠赤外線温風器を提供する。【解決手段】遠赤外線セラミクス２０、上下にそれぞれ放熱チップ３１，３２が設置される熱伝導加熱部材３０、及びファン４０を含み、制御装置を前記熱伝導加熱部材及び前記ファンと接続することで、前記熱伝導加熱部材の加熱及び前記ファンの起動停止を制御することができる。これにより、遠赤外線を有する温熱気流の温灸治療に使用することができ、また長時間の使用が可能な遠赤外線温風器としても利用可能となる。【選択図】図４
0003156863.tif 000002
【実用新案登録請求の範囲】
【請求項１】
上ケースと底板から構成され、前記上ケース外側には複数の入気孔が形成され、前記底板には複数の排気孔が設置されるケースと、
前記ケース内に設置され、前記底板の排気孔上方に収納され、且つ複数の穿孔を有する遠赤外線セラミクスと、
前記ケース内に設置され、その一側辺は前記遠赤外線セラミクスのすぐそばに位置し、且つその上下にはそれぞれ放熱チップが設置される熱伝導加熱部材と、
ケース内に設置され、前記熱伝導加熱部材のもう一つの側辺に収納され、且つ前記入気孔のすぐそばに位置するファンと、
導線によって前記ケースと接続され、並びに前記熱伝導加熱部材及び前記ファンと電気的に接続され、前記熱伝導加熱部材の加熱及び前記ファンの起動停止を制御することができる制御装置とを含むことを特徴とする、遠赤外線温風器。
【請求項２】
前記底板の排気孔は凹溝に位置し、且つ前記凹溝は延伸して前記底板の一側へ排気経路を形成することを特徴とする、請求項１に記載の遠赤外線温風器。
【請求項３】
前記底板の表面には複数の凸ブロックが設置されることを特徴とする、請求項１に記載の遠赤外線温風器。
【請求項４】
前記遠赤外線セラミクス上方には温度検知器が設置され、且つ前記温度検知器は前記制御装置と接続され、それにより前記制御装置は読み取った温度に応じて前記熱伝導加熱部材を制御することができることを特徴とする、請求項１に記載の遠赤外線温風器。
【請求項５】
前記ケースの両側にはそれぞれ穿孔固定部が設置され、固定ベルトを併せて使用することができるようになることを特徴とする、請求項１に記載の遠赤外線温風器。
【考案の詳細な説明】
【技術分野】
【０００１】
本考案は遠赤外線温風器に関し、特に人体の使用に便利な遠赤外線を有する温風器に関する。
【背景技術】
【０００２】
社会の進歩によって、人々の生活のリズムが非常に速くなってきており、人々はストレスが大きすぎる上に運動不足のため、経骨脈絡方面の不快感や痛みを生じやすく、この経骨脈絡方面の不快感や痛みを取り除いたり軽減させたりするために、マッサージ、電気療法、温熱療法等各種の異なる治療方法が生まれた。温熱療法に関して、特に従来の温灸技術に関して言うと、前記治療過程においては、人体上に熱源を敷き、熱源の熱力によって皮膚と皮下組織を通じて筋肉や筋骨に熱度を感じさせ、それによって痛みを軽減させたり取り除いたりすることができ、又、熱源の熱度によって人の局部的な血液循環を促進させ、健康保持の機能を達成することもできる。
【０００３】
従って、市場には多くの種類の温灸マッサージ治療器の製品が発売されている。しかし、前記のような製品は、実施構造上、組み立てが複雑で、加工も容易でないため、コストが高すぎて市場での競争力が低くなり、工業生産価値に見合わない。それに加え、使用する際の操作も不便であり、作動状況も安定していない。特に、ある種の温灸器は、容器内にもぐさの装置を取り付けるため、実施時に、内部に燃えたもぐさによるクズが生じて掃除しにくく、機器が故障したり使用に影響がでたりする。また、この種の装置は温度の制御がしづらく、治療者が火傷することが多く、使用者はこの製品を使うのを敬遠するようになり、使用者の体の健康保持に対する有効な効果がないだけでなく、治療上の効果も少ない。
【０００４】
このような経緯から、赤外線の温灸器が機運に乗じて生まれた。この赤外線の温灸器は、赤外線加熱部材により生じた熱放射線を温灸の熱源としている。赤外線温灸器の温度は制御が難しく、赤外線は皮膚上の固定位置に集中するため熱すぎて不快感を感じたというのが、赤外線温灸器を使用したことがある人の共通の経験である。既存の温灸器の本体は大きすぎて持ち運びすることができず、使用する時に使用者は温灸したいつぼを温灸器の照射面に近づけなければならないため、使用する上で相当不便である。赤外線温灸器はもぐさを使用する必要がないものの、使用上の不快感や不便感があるので、実用的な温灸器とはいえない。
【０００５】
市場には、更に人体用の電熱式加熱器がある。その主な構造は、本体内に電気加熱器を設置し、本体下方にはゴムの断熱体が設置され、電気加熱器が放出した熱源をすぐに人体の表面に伝わらないようにする。使用する際、ゴムの断熱体を使用者が温灸したいつぼの場所に貼り付けるが、この種の電熱式加熱器は温度調整コントロールがないため、一定時間使用した後、人体が接触する部分は灼熱感を感じ始め、同様に不快感が生じて長時間の温灸治療には使用することができない。
【考案の概要】
【考案が解決しようとする課題】
【０００６】
上述の問題を解決するために、本考案は、遠赤外線を有する温熱気流の温灸治療に使用する装置を提供することができる、長時間使用可能で且つ直接使用するのに便利な遠赤外線温風器を提供することを目的とする。
【課題を解決するための手段】
【０００７】
上述の目的を達成するために本考案が提出する遠赤外線温風器は、ケース、遠赤外線セラミクス、ファン、及び制御装置を含む。前記ケースは上ケースと底板から構成され、前記上ケース外側には複数の入気孔が形成され、前記底板には複数の排気孔が設置される。前記遠赤外線セラミクスはケース内に設置され、前記底板の排気孔上方に収納され、且つ前記遠赤外線セラミクスは複数の穿孔を有する。前記熱伝導加熱部材は前記ケース内に設置され、その一側辺は前記遠赤外線セラミクスのすぐそばに位置し、且つ前記熱伝導加熱部材の上下にはそれぞれ放熱チップが設置され、前記熱伝導加熱部材から生じる熱エネルギーを放出することができる。前記ファンは、ケース内に設置され、前記熱伝導加熱部材のもう一つの側辺に収納され、且つ前記入気孔のすぐそばに位置し、放熱チップが放出した熱エネルギーを遠赤外線セラミクスの穿孔と底板の排気孔に向かって吹出すことができ、それにより排気口は遠赤外線を有する温熱気流を提供することができるようになる。前記制御装置は、導線によって前記ケースと接続され、並びに前記熱伝導加熱部材及び前記ファンと電気的に接続され、前記熱伝導加熱部材の加熱と前記ファンの起動停止を制御することができる。
【０００８】
その内、前記底板の排気孔は凹溝に位置し、且つ前記凹溝は延伸して前記底板の一側へ排気経路を形成し、それにより遠赤外線温風器が使用者の患部に貼り付いた時に排気を行うことができる。又、前記底板の表面には複数の凸ブロックが設置され、底板が使用者の皮膚に貼り付いた時に汗の排出が行いやすくなる。
【０００９】
その内、前記遠赤外線セラミクス上方には温度検知器が設置され、且つ前記温度検知器は前記制御装置と接続され、それにより前記制御装置は読み取った温度に応じて前記熱伝導加熱部材を制御し、又、前記制御装置は読み取った温度に応じて前記熱伝導加熱部材の起動と停止を行い、温度調節の目的を達成することができる。
【００１０】
更には、前記ケースの両側にはそれぞれ穿孔固定部が設置され、固定ベルトと併せて使用することにより、使用者が温灸したいつぼの場所に縛って固定することができる。
【考案の効果】
【００１１】
本考案は、熱伝導加熱部材の低パワー・電磁波ゼロという特性を利用し、放熱チップによりその放熱面積を大きくすることにより、ファンは均一な温熱気流を吹出し、且つ遠赤外線セラミクスは周囲の熱エネルギーを約８−１２μ波長の遠赤外線に変換することができ、それにより排気口は遠赤外線を有する温熱気流を吹出すことができ、温灸の効果が向上する。又、ケースの両側にはそれぞれ穿孔固定部が設置され、固定ベルトと併せて使用することにより、ケースを直接使用者が温灸したいつぼの場所に縛って固定することができ、使用者端温灸を行うためにその他の作業ができなくなるということがなくなる。
【図面の簡単な説明】
【００１２】
【図１】本考案の実施例の外観概略図である。
【図２】本考案の実施例のケース尾端の概略図である。
【図３】本考案の実施例のケース底面の概略図である。
【図４】本考案の実施例の部分立体分解図である。
【図５】本考案の実施例の使用状態図である。
【考案を実施するための形態】
【００１３】
以下に添付図面を参照しながら、本考案の技術特徴と利点の詳細説明を行う。
【００１４】
〔実施例〕
図１から図４に示すように、本考案の遠赤外線温風器は、ケース１０、遠赤外線セラミクス２０、熱伝導加熱部材３０、ファン４０、及び制御装置５０を含む。前記ケース１０は上ケース１１と底板１２から構成され、前記上ケース１１外側には複数の入気孔１１１が形成され、前記底板１２には複数の排気孔１２１が設置される。前記底板１２の排気孔１２１は凹溝１２２に位置し、且つ前記凹溝１２２は延伸して前記底板１２の一側辺へ排気経路１２３を形成し、本考案を使用者が温灸したいつぼの場所に直接貼る時、前記排気孔１２１から排出される気流は前記排気経路１２３を通じて排出させることができる。前記底板１２の表面には複数の凸ブロック１２４と１２５が設置され、前記凸ブロック１２４によって、底板１２が使用者の皮膚に貼り付いた時の汗の排出効果を向上させることができ、底板１２全体が使用者の皮膚上に貼り付くことにより汗水が皮膚に侵食する現象を防ぐことができる。又、凸ブロック１２５は凹溝１２２の両側と排気経路１２３上に位置し、凹溝１２２と前記排気孔１２１が使用者の皮膚上に貼り付いて排気できなくなることがないようにする。
【００１５】
前記遠赤外線セラミクス２０は前記ケース１０内に設置され、前記底板１２の前記排気孔１２１上方に収納され、且つ前記遠赤外線セラミクス２０は複数の穿孔２１を有する。遠赤外線セラミクス２０は遠赤外線を放出することができ、遠赤外線は安全且つ高い貫通力をもつ不可視光線である。８−１２μ波長の遠赤外線は人体内の水分子と有機分子（例えば骨格）によって吸収され、共振に変換されてエネルギーが体内に伝わる。この時、体内深層のエネルギーが励起されるため、血液循環に対する促進作用がある。遠赤外線は人体を刺激せず、人体のエネルギーを増強することができ、体の内部を暖め、人体の器官に共鳴吸収と治療効果を生じさせる。主な効能としては、体の異なる部位の血液循環を促進し、だるさや痛みによる不快感を予防し、疲労をとり、リューマチ性関節炎、骨増殖症、肩関節周囲炎、頚椎炎、腰痛、手足のしびれ等の病気を予防する。
【００１６】
熱伝導加熱部材３０は前記ケース１０内に設置され、その一側辺は前記遠赤外線セラミクス２０のすぐそばに位置し、且つ前記熱伝導加熱部材３０の上下にはそれぞれ放熱チップ３１と３２が設置され、前記熱伝導加熱部材３０から生じた熱エネルギーを放出することができる。前記熱伝導加熱部材３０は、一般市場の正温度係数（Ｐｏｓｉｔｉｖｅ  Ｔｅｍｐｅｒａｔｅ  Ｃｏｅｆｆｉｃｉｅｎｔ、  ＰＴＣ）加熱器であり、前記熱伝導加熱部材３０は、低パワー・電磁波ゼロ、簡単且つ効果的に温度を制御することができる、温度が上昇し続けるのを防げるといった特性を有し、上下に設置された放熱チップ３１と３２を通じて、熱伝導により、前記熱伝導加熱部材３０から生じた熱エネルギーを放熱チップ３１と３２の表面に速やかに伝えることができる。
【００１７】
前記ファン４０は、前記ケース１０内に設置され、前記熱伝導加熱部材２０のもう一つの側辺に収納され、前記入気孔１１１のすぐそばに位置する。前記ファン４０は、前記入気孔１１１から外界の空気を取り込み気流を形成させ、放熱チップ３１と３２が放出した前記熱伝導加熱部材３０の熱エネルギーを前記遠赤外線セラミクス２０の穿孔２１と底板１２の排気孔１２１に向かって吹出すことができ、それにより排気口１２１は遠赤外線を有する温熱気流を提供することができるようになる。前記制御装置５０は、導線５１によって前記ケース１０と接続され、又、前記熱伝導加熱部材３０及び前記ファン４０と電気的に接続され、前記熱伝導加熱部材３０の加熱及び前記ファン４０の起動停止を制御することができ、且つその一端は電源コード５２によって交流電源を取り入れ、装置全体を作動させることができる。前記制御装置５０はタイマーと温度調節機能を有し、前記熱伝導加熱部材３０の加熱温度を設定できる以外に、設定した時間がきたら前記装置は自動的にスタンバイ状態に切り換わることができ、使用者が睡眠時に使用するのに便利である。
【００１８】
前記底板１２の排気孔１２１の箇所には温度検知器６０が設置される。実施上、前記温度検知器６０は前記遠赤外線セラミクス２０上方に取り付けることができ、それにより前記遠赤外線セラミクス２０の温度を直接検知できるため、排気孔１２１から排出される温熱気流の温度を更に正確に制御することができるようになる。前記温度検知器６０は前記制御装置５０と接続され、例えば３秒ごとにシリアル伝送によって検知した温度を前記制御装置５０に送り、それにより前記制御装置５０は読み取った温度に応じて前記熱伝導加熱部材３０の起動又は停止を切替え、温度制御の目的を達成することができる。さらに、実施上、例えば前記温度検知器６０の伝送が中断された場合、安全を考慮して、前記制御装置５０は自動的にスタンバイ状態に切り換えられ、前記熱伝導加熱部材３０の加熱と前記ファン４０の送風を停止する。
【００１９】
まとめて言うと、熱伝導加熱部材３０の低パワー・電磁波ゼロという特性を利用し、又、放熱チップ３１と３２によってその放熱面積を大きくすることにより、ファン４０は均一な温熱気流を吹出し、且つ遠赤外線セラミクス２０は周囲の熱エネルギーを約８−１２μ波長の遠赤外線に変換することができ、それにより排気口１２１は遠赤外線を有する温熱気流を吹出すことができるようになるため、排気口１２１を使用者が温灸したいつぼの場所に対して直接向け、遠赤外線を有する温熱気流を直接吹つけることができ、それにより遠赤外線を有する温風熱源は、皮膚及び皮下組織を通じて筋肉や筋骨等に熱度を感じさせ、だるさや痛みを軽減し又は取り除き、人の局部的な血液循環を促進して健康を保つ機能を達成することができる。
【００２０】
更には、部材全体を軽便にするために、前記ケース１０の両側にはそれぞれ穿孔固定部１０１と１０２を設置する。前記穿孔固定部１０１と１０２は、使用固定ベルト７０と併せて使用することで、前記ケース１０を使用者の体のあらゆるつぼの場所に縛って固定させることができ、それにより排気口１２１を温灸をしたいつぼの場所に向けることができる。図５では、使用者の手首に縛っている。このように、使用者は前記ケース１０を手で持つことなく、遠赤外線を有する温風熱源の温灸療法の過程を行うことができ、前記制御装置５０のタイマー装置と併せて使用することで、更には寝ている状態でも使用することができる。
【００２１】
上記内容は本考案の好ましい実施例に過ぎず、本考案の登録請求の範囲を限定するものではないため、本考案で開示した趣旨を逸脱しないで完成された等価変更若しくは補正は、全て本考案における登録請求の範囲内に含まれるものとする。
【符号の説明】
【００２２】
１０      ケース
１０１、１０２  穿孔固定部
１１      上ケース
１１１      入気孔
１２      底板
１２１      排気孔
１２２      凹溝
１２３      排気経路
１２４、１２５  凸ブロック
２０      遠赤外線セラミクス
２１      穿孔
３０      熱伝導加熱部材
３１、３２  放熱チップ
４０      ファン
５０      制御装置
５１      導線
５２      電源コード
６０      温度検知器
【図１】
0003156863.tif 000003
【図２】
0003156863.tif 000004
【図３】
0003156863.tif 000005
【図４】
0003156863.tif 000006
【図５】
0003156863.tif 000007